(57)【要約】      （修正有）【課題】玄関ドアを少し開けた状態で通気（冷気）を入れるため玄関内にパンチング型スライド式折戸を提供する。【解決手段】この雨戸は各スラットが１枚１枚独立していて横にスライドするため折り畳巾が少なく出来る。この特徴を生かし玄関内に設置した場合でも人の出入りに支障がないスライド式戸にした。又、施錠した状態でも通気（冷気）が入るように各スラット毎に穴開きのパンチングを施した。これにより防犯上問題となっていた玄関ドアを開けっ放しでも安全に出来るようになった。又虫も入らないようにパンチングした穴に網を被せた。【選択図】図１
0003174281.tif 000002
【実用新案登録請求の範囲】
【請求項１】
玄関内に取付ける為、出入りに不便にならないように開閉をスライド式にしたことを特徴とするパンチング型スライド式折戸。
【請求項２】
防犯上施錠したままでも通気が出来るようにするため複数のスラット（羽根）にパンチングの穴明けをすることを特徴とし又パンチングした穴には網を被せるので虫が入らないパンチング型スライド式折戸。
【考案の詳細な説明】
【技術分野】
【０００１】本発明は、ブラインド式雨戸に関し、特に、屈伸リンクにより開扉または閉扉するパンチング型ブラインド式折戸に関する。
【背景技術】
【０００２】夏など特に玄関ドアを少し開けた状態で冷たい空気が室内に流れ込みクーラーなどつける必要がない。しかし玄関ドアを開けると防犯上問題があった。【０００３】このような問題を解決するためのものとしてパンチング型スライド式折戸がある。
このパンチング型スライド式折戸は、屈伸リンクにより連絡させた複数の板状のスラットを、上部及び下部のサッシに沿って移動可能なように上部のサッシから吊設したものである。
その屈伸折戸リンクをサッシに沿って伸長させると、それら複数のスラットが板の略正面を向き、折戸が閉戸状態となる、一方、そのスラット表面には多くの穴部を設けることにより通気を行うことができる。
また、このパンチング型スライド式折戸は、開扉又は閉扉するとき、折り畳むようにすることから、軽微な力で開戸又は閉戸することができるようになっている。【０００４】このようなパンチング型スライド式ドアに関するものとして特許文献１が開示するところのブラインド式樹脂雨戸が提案されている。この特許文献１に開示されるブラインド式樹脂雨戸は従来のブラインド式雨戸と同様に複数のスラットが雨戸の正面から所定の角度傾いて互いに平行になり雨戸が閉じた状態のまま各スラット間が開口するように構成されており、閉扉したままある程度の遮光及び通気が可能となっている。また、このブラインド式樹脂雨戸は従来のものに比べて取付部材の軽量化や接着テープ等による取付方法の簡易化等により家屋への取付が容易になっている。
【特許文献１】実案新案３１５８０６８号
【０００５】（パンチング型スライド式折戸）
図１は、本発明の一実地の形態におけるパンチング型スライド式折戸の開扉時の縦断面図である。
また、図２は、本実施の形態における開扉時の横断面図であり、図１のＡ−Ａ線で切った断面を示している。
なお、このパンチング型スライド式折戸は、例えば樹脂製であり、その表面には、多数の穴部１００が貫通して形成されている。【０００６】なお、この穴部は、径が１０〜２０ｍｍ程度の円形や方形等であることが好ましい。これは、この穴部１００の径を極端に大きく形成すると、採光及び通気の効果は高くなるものの、扉１９内の様子が外側から視認可能となり、さらには防犯面の効果も低くなってしまうからである。
また、この穴部１００の単位面積あたりの形成個数および形成感覚は、目的、用途に応じて適宜変更可能である。【０００７】図３は、前述の折戸案内枠２０の表面側を示す図である。
図に示すように、この折戸用案内枠２０は、開口部２に対して四辺形状に形成されている。
また、折戸用案内枠２０は、この四辺形状の上辺部を構成する上枠２１と、下辺部を構成する下枠２２と、側辺部を構成する左右一対の縦枠を２３とを有して構成されている。【０００８】図４は、そのパンチング型スライド式折戸１９の正面図である。また、図６は、そのパンチング型スライド式折戸１９の拡大斜視図である。
図に示すように、ブラインド式折戸１９は、短冊状に形成された複数のスラット３８と、この各スラット３８の上端部及び下端部を連結する伸縮自在のレージトング４１と、上側のレージトング４１をガイドレール３９内にガイド穴４０を介して転動自在に吊支するガイドローラー４２と、下側のレージトング４１を下枠２２のガイドレール３９内にガイド穴４０を介して移動可能に係合させるガイドピン４３とを有して構成されている。【０００９】スラット３８は、細長い板体により構成され、上下端部に前記レージトング４１が取り付けられている。
また、このスラット３８は、両側端部に相反する方向へ折曲された係止縁４４を有し、この係止縁４４には上下方向に沿って凹溝４５が形成されている。この凹溝４５には、細長状に形成されたシール部材４６（例えばゴム材など）が固着され、各スラット３８の係止縁４４同士が密着したときの水密性を向上させている。【００１０】また、レージトング４１は、形状の異なる二種類のリンク４７ａ、４７ｂを中央部で軸着してＸ字状に回転自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは断面Ｌ字状に折曲形成されたプレートにより構成されている。このリンク４７ｂには、スラット３８の上下端部が狭持固定されている。
【考案が解決しようとする課題】
【００１１】玄関を開けると通気（冷気）が入りますが、共用廊下から丸見えになり又、防犯上問題があります。
【課題を解決するための手段】
【００１２】本考案は施錠したままドアを閉めてもスラットがパンチングのため通気を入れることができ安全である。
【考案の効果】
【００１３】本考案の効果は▲１▼通気（冷気）が通る▲２▼外側から室内が見ずらいようになる。
▲３▼施錠がかかるので安全である。▲４▼網戸を被せるので虫が入らない。
【図面の簡単な説明】
【００１４】
【図１】本発明の一実施形態におけるパンチング型スライド式折戸の開扉時の縦断面図である。
【図２】本発明の一実施形態における開扉時の横断面図である。
【図３】本発明の一実施形態における雨戸用案内枠の表面側を示す図である。
【図４】本発明の一実施形態におけるパンチング型スライド式折戸の拡大斜視図である。
【図５】本発明の一実施形態におけるパンチング型スライド式折戸を開けた状態の内側正面図である。
【図６】本発明の一実施形態におけるパンチング型スライド式折戸の拡大斜視図である。
【図７】本発明の一実施形態におけるレージトング及びガイドローラの部分を拡大した分解斜視図である。
【符号の説明】
【００１５】１    ドア
１９  パンチング型スライド式折戸
２０  雨戸用案内枠
２１  上枠
２２  下枠
２３  立て枠
２４  枠本体
３８  スラット
３９  ガイドレール
４０  ガイド穴
４１  レージトング
４４  係止縁
４６  シール部材
４７ａ、４７ｂ  リンク
５０  回転軸
５１  ローラ部
５２  ベアリング
５５  固定棒
５５ａ、５５ｂ  框部段差
１００  スラット穴
【図１】
0003174281.tif 000003
【図２】
0003174281.tif 000004
【図３】
0003174281.tif 000005
【図４】
0003174281.tif 000006
【図５】
0003174281.tif 000007
【図６】
0003174281.tif 000008
【図７】
0003174281.tif 000009
【手続補正書】
【提出日】平成23年12月14日(2011.12.14)
【手続補正１】
【補正対象書類名】実用新案登録請求の範囲
【補正対象項目名】請求項１
【補正方法】変更
【補正の内容】
【請求項１】
玄関内に取付ける為、出入りに不便にならないように開閉をスライド式にしたことを特徴とするパンチング型スライド式折戸で建物の周囲の外壁に固定した取付用の方形枠の上辺部から、レージドングにより連絡した複数のスラットを吊説し、該取付用枠の上辺部及び下辺部に設けられた前記外壁に略平行なガイドレールに沿って開閉自在とした伸縮可能なブラインド式折戸であって前記スラットの表面には多数の採光及び通気用の穴部が形成されていることを特徴とするブラインド式折戸。
【手続補正２】
【補正対象書類名】明細書
【補正対象項目名】００１０
【補正方法】変更
【補正の内容】
【００１０】また、レージトング４１は、形状の異なる二種類のリンク４７ａ、４７ｂを中央部で軸着してＸ字状に回転自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは、断面Ｌ状に折曲形成されたプレートにより構成されている。
このリンク４７ｂには、スラット３８の上下端部が狭持固定されている。
図６は、そのレージトング４１及びガイドローラ４２の部分を拡大した分解斜視図である。図の示すように、ガイドローラ４２は、リンク４７ａ、４７ｂの一端部を連通する穴部の挿通されたロッド４８と、このロッド４８の上端部に回転自在に固定された板状の基部４９と、この基部４９の左右方向に回転自在に挿通されてガイドレール３９に両端部が支持された回転軸５０と、この回転軸５０に回転自在に挿通されて両端部に回転自在に軸支された一対のローラ部５１と、この各ローラー部５１の内周面のベアリング５２とを有して構成されている。
また、そのロッド４８の下端外周面には雄ねじが形成されている。このロッド４８の下端部は、一対のワッシャー５３を介してナット５４に螺合され、これによりリンク４７ａ、４７ｂの一端部に固定されている。